(57)【特許請求の範囲】
【請求項１】
本携帯情報処理装置が有している撮影用光源又はディスプレイを用いた可視光通信によって、印刷指示を画像出力装置に送信する送信手段と、
前記可視光通信によって前記印刷指示を前記画像出力装置に送信する場合は、ユーザーが可視光を前記画像出力装置の受光部に当てる動作の示唆を提示する提示手段
を有する携帯情報処理装置。
【請求項２】
前記送信手段は、本携帯情報処理装置が有しているカメラと同じ向きに設置されている、
請求項１に記載の携帯情報処理装置。
【請求項３】
前記送信手段が撮影用光源を用いた可視光通信によって送信する場合、前記カメラで撮影した画像を本携帯情報処理装置のディスプレイに表示させる、
請求項２に記載の携帯情報処理装置。
【請求項４】
前記送信手段は、
前記印刷指示の送信先である前記画像出力装置を選択するユーザーの操作を受け付けることなく、前記印刷指示を前記画像出力装置に送信する、
請求項１から３のいずれか一項に記載の携帯情報処理装置。
【請求項５】
前記画像出力装置から前記印刷指示を受信した旨を示す情報を受信した場合は、該旨の提示を行う第２の提示手段
をさらに有する請求項１から４のいずれか一項に記載の携帯情報処理装置。
【請求項６】
本携帯情報処理装置が有しているカメラを用いて、画像を可視光通信によって画像読取装置から受信する受信手段
をさらに有する請求項１から５のいずれか一項に記載の携帯情報処理装置。
【請求項７】
本携帯情報処理装置が有している撮影用光源又はディスプレイを用いた可視光通信によって、印刷指示を画像出力装置に送信する送信手段と、
前記可視光通信によって前記印刷指示を前記画像出力装置に送信する場合は、ユーザーが可視光を前記画像出力装置の受光部に当てる動作の示唆を提示する提示手段
を有する携帯情報処理装置と、
可視光通信によって、前記印刷指示を前記携帯情報処理装置から受光部で受信する受信手段
を有する前記画像出力装置
を具備する画像出力システム。
【請求項８】
コンピュータである携帯情報処理装置を、
前記携帯情報処理装置が有している撮影用光源又はディスプレイを用いた可視光通信によって、印刷指示を画像出力装置に送信する送信手段と、
前記可視光通信によって前記印刷指示を前記画像出力装置に送信する場合は、ユーザーが可視光を前記画像出力装置の受光部に当てる動作の示唆を提示する提示手段
として機能させるための情報処理プログラム。
【発明の詳細な説明】
【技術分野】
【０００１】
本発明は、携帯情報処理装置、画像出力システム及び情報処理プログラムに関する。
【背景技術】
【０００２】
特許文献１には、印刷出力先の画像形成装置として複数の候補がある場合において、印刷出力先としてユーザーが所望する画像形成装置と、実際に印刷出力が行われる画像形成装置との対応付けを容易に行うことができる画像形成装置、携帯端末装置、情報処理装置、画像形成システム及びプログラムを提供することを課題とし、画像形成装置は、ＵＩ装置と、印刷装置と、ＵＩ装置に認証情報を表示するよう制御する表示制御部と、ＵＩ装置に表示された認証情報と、予め定められた範囲内に存在する携帯端末装置が取得した取得情報とが予め定められた関係を満たした場合に、受信した画像データを前記印刷手段により印刷するよう制御する印刷制御部とを有することが開示されている。
【０００３】
特許文献２には、消費電力が低く、かつ、利便性が高い画像形成システムを提供することを課題とし、携帯端末は、アプリを起動し、ＭＦＰの発光部からの可視光をカメラで受光してＭＦＰのステータス情報を得ることで、拡張現実表示を行うことができ、ＭＦＰの動作モードが省電力モードに移行した場合において、携帯端末でアプリが起動されると、アプリは、携帯端末の情報取得部の機能を利用し、情報取得部は、構内情報通信網などのネットワークを介して、ＭＦＰに対して発光通信開始依頼を送信し、ＭＦＰでは、可視光通信についての制御を行う送信制御部が、発光通信開始依頼に応じて、発光部を点灯させ、携帯端末との間で可視光通信を実行させることが開示されている。
【０００４】
特許文献３には、スキャナーユニットを用いて、物理的に接続すること無く、データの設定を行うことが可能なデータ設定システムを提供することを課題とし、複合機が、画像読取部を用いて外部の光信号を受信する光通信受信手段と、前記受信された光信号に対応するデータの設定を実行する光通信実行手段とを備え、通信端末装置が、光照射部を用いてデータの設定に対応する光信号を発信する光通信発信手段を備えることが開示されている。
【０００５】
特許文献４には、通信機器周辺に照射される照明光の光量が変化する環境下でも、複雑な回路や高価な部品を設けることなく、可視光通信を行うことができる可視光通信装置、及びこの装置を備えた画像形成装置を提供することを課題とし、可視光通信装置は、商用交流電源の電圧がゼロであるゼロクロス点の位相を検出するゼロクロス検出部と、ゼロクロス検出部が検出するゼロクロス点に光量が同期し、可視光又はその周辺スペクトル光を用いて通信する可視光通信部と、を備え、画像形成装置は、上記の可視光通信装置と、可視光通信装置が他の装置と通信するデータに基づいて画像を形成する画像形成部と、を備えていることが開示されている。
【０００６】
特許文献５には、通信機器同士の通信の安全性を簡単かつ迅速に確保することを課題とし、デジタルカメラの通信設定情報生成部は、第２ＤＳＣ側通信部と第２プリンター側通信部との通信の成立に必要な通信設定情報を生成し、デジタルカメラの第１ＤＳＣ側通信部は、生成された通信設定情報を、プリンターに送信し、プリンターの第１プリンター側通信部は、第１ＤＳＣ側通信部の送信した通信設定情報を受信し、プリンターの通信設定部は、第１プリンター側通信部の受信した通信設定情報に基づき、第２ＤＳＣ側通信部との通信成立に必要な情報を第２プリンター側通信部に設定し、デジタルカメラの第２ＤＳＣ側通信部とプリンターの第２プリンター側通信部とは、共通の通信設定情報によって通信を成立させることが開示されている。
【先行技術文献】
【特許文献】
【０００７】
【特許文献１】特開２０１４−１８０７９２号公報
【特許文献２】特開２０１４−１５０４７４号公報
【特許文献３】特開２０１５−１２６５０４号公報
【特許文献４】特開２０１４−００７６２４号公報
【特許文献５】特開２００７−１８９３４８号公報
【発明の概要】
【発明が解決しようとする課題】
【０００８】
携帯情報処理装置から印刷指示を行って、画像出力装置で印刷を行うことが行われている。
しかし、携帯情報処理装置が有している撮影用光源又はディスプレイを用いた可視光通信によって、印刷指示を画像出力装置に送信することは行われていない。
本発明は、携帯情報処理装置が有している撮影用光源又はディスプレイを用いた可視光通信によって、印刷指示を画像出力装置に送信するようにした携帯情報処理装置を提供することを目的としている。
【課題を解決するための手段】
【０００９】
かかる目的を達成するための本発明の要旨とするところは、次の各項の発明に存する。
請求項１の発明は、本携帯情報処理装置が有している撮影用光源又はディスプレイを用いた可視光通信によって、印刷指示を画像出力装置に送信する送信手段と、前記可視光通信によって前記印刷指示を前記画像出力装置に送信する場合は、ユーザーが可視光を前記画像出力装置の受光部に当てる動作の示唆を提示する提示手段を有する携帯情報処理装置である。
【００１０】
請求項２の発明は、前記送信手段は、本携帯情報処理装置が有しているカメラと同じ向きに設置されている、請求項１に記載の携帯情報処理装置である。
【００１１】
請求項３の発明は、前記送信手段が撮影用光源を用いた可視光通信によって送信する場合、前記カメラで撮影した画像を本携帯情報処理装置のディスプレイに表示させる、請求項２に記載の携帯情報処理装置である。
【００１２】
請求項４の発明は、前記送信手段は、前記印刷指示の送信先である前記画像出力装置を選択するユーザーの操作を受け付けることなく、前記印刷指示を前記画像出力装置に送信する、請求項１から３のいずれか一項に記載の携帯情報処理装置である。
【００１３】
請求項５の発明は、前記画像出力装置から前記印刷指示を受信した旨を示す情報を受信した場合は、該旨の提示を行う第２の提示手段をさらに有する請求項１から４のいずれか一項に記載の携帯情報処理装置である。
【００１４】
請求項６の発明は、本携帯情報処理装置が有しているカメラを用いて、画像を可視光通信によって画像読取装置から受信する受信手段をさらに有する請求項１から５のいずれか一項に記載の携帯情報処理装置である。
【００１５】
請求項７の発明は、本携帯情報処理装置が有している撮影用光源又はディスプレイを用いた可視光通信によって、印刷指示を画像出力装置に送信する送信手段と、前記可視光通信によって前記印刷指示を前記画像出力装置に送信する場合は、ユーザーが可視光を前記画像出力装置の受光部に当てる動作の示唆を提示する提示手段を有する携帯情報処理装置と、可視光通信によって、前記印刷指示を前記携帯情報処理装置から受光部で受信する受信手段を有する前記画像出力装置を具備する画像出力システムである。
【００１６】
請求項８の発明は、コンピュータである携帯情報処理装置を、前記携帯情報処理装置が有している撮影用光源又はディスプレイを用いた可視光通信によって、印刷指示を画像出力装置に送信する送信手段と、前記可視光通信によって前記印刷指示を前記画像出力装置に送信する場合は、ユーザーが可視光を前記画像出力装置の受光部に当てる動作の示唆を提示する提示手段として機能させるための情報処理プログラムである。
【発明の効果】
【００１７】
請求項１の携帯情報処理装置によれば、本携帯情報処理装置が有している撮影用光源又はディスプレイを用いた可視光通信によって、印刷指示を画像出力装置に送信することができる。
【００１８】
請求項２の携帯情報処理装置によれば、送信手段をカメラと同じ向きに設置することができる。
【００１９】
請求項３の携帯情報処理装置によれば、可視光通信で送信する場合、カメラで撮影した画像を本携帯情報処理装置のディスプレイに表示させることができる。
【００２０】
請求項４の携帯情報処理装置によれば、印刷指示の送信先である画像出力装置を選択するユーザーの操作を受け付けることなく、印刷指示を画像出力装置に送信することができる。
【００２１】
請求項５の携帯情報処理装置によれば、画像出力装置から印刷指示を受信した旨を示す情報を受信した場合は、その旨の提示を行うことができる。
【００２２】
請求項６の携帯情報処理装置によれば、本携帯情報処理装置が有しているカメラを用いて、画像を可視光通信によって画像読取装置から受信することができる。
【００２３】
請求項７の画像出力システムによれば、携帯情報処理装置が有している撮影用光源又はディスプレイを用いた可視光通信によって、印刷指示を画像出力装置に送信することができる。
【００２４】
請求項８の情報処理プログラムによれば、携帯情報処理装置が有している撮影用光源又はディスプレイを用いた可視光通信によって、印刷指示を画像出力装置に送信することができる。
【図面の簡単な説明】
【００２５】
【図１】第１の実施の形態の構成例についての概念的なモジュール構成図である。
【図２】第１の実施の形態を利用したシステム構成例等を示す説明図である。
【図３】第１の実施の形態による処理例を示すフローチャートである。
【図４】第１の実施の形態による処理例を示すフローチャートである。
【図５】第１の実施の形態による処理例を示す説明図である。
【図６】第１の実施の形態による処理例を示す説明図である。
【図７】第１の実施の形態による処理例を示す説明図である。
【図８】第１の実施の形態による処理例を示す説明図である。
【図９】第１の実施の形態による処理例を示す説明図である。
【図１０】第２の実施の形態の構成例についての概念的なモジュール構成図である。
【図１１】第２の実施の形態を利用したシステム構成例等を示す説明図である。
【図１２】第２の実施の形態による処理例を示すフローチャートである。
【図１３】第２の実施の形態による処理例を示すフローチャートである。
【図１４】第２の実施の形態による処理例を示す説明図である。
【図１５】第２の実施の形態による処理例を示す説明図である。
【図１６】第２の実施の形態による処理例を示す説明図である。
【図１７】第２の実施の形態による処理例を示す説明図である。
【図１８】第２の実施の形態による処理例を示す説明図である。
【図１９】本実施の形態を実現するコンピュータのハードウェア構成例を示すブロック図である。
【発明を実施するための形態】
【００２６】
以下、図面に基づき本発明を実現するにあたっての好適な各種の実施の形態の例を説明する。
＜第１の実施の形態＞
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２７】
第１の実施の形態は、携帯端末１００と印刷装置１５０によって構成されている。携帯端末１００は、印刷装置１５０に対して印刷指示（印刷ジョブ、プリントジョブともいわれる）を行うものであって、印刷装置１５０は、携帯端末１００から印刷指示を受け取って、印刷を行うものである。例えば、印刷装置１５０を臨時に利用しなければならない場面（出張先等の印刷装置１５０を１回だけ利用するような場合等）では、携帯端末１００と印刷装置１５０間の通信を行うための設定を行うのは、煩わしいことであり、セキュリティ上からもそのような設定を残しておくことは問題がある。第１の実施の形態は、このような場合でも、通信設定をすることなく、ユーザーの携帯端末１００から印刷指示を行い、印刷装置１５０で印刷をすることができるようになる。
【００２８】
携帯端末１００と印刷装置１５０間の通信（特に、少なくとも携帯端末１００から印刷装置１５０への通信）として、可視光通信を用いる。
可視光通信とは、ＬＥＤ（Ｌｉｇｈｔ  Ｅｍｉｔｔｉｎｇ  Ｄｉｏｄｅ）などが発光する可視光の強度を変化させて変調させることによる通信をいう。例えば、標準規格として、以下のものがある。
・ＪＥＩＴＡ  ＣＰ−１２２１／１２２２／１２２３（電子情報技術産業協会）
片方向４．８ｋｂｐｓの主に照明光通信用である。
ＪＥＩＴＡ  ＣＰ−１２２１  可視光通信システム  ２００７年３月
ｈｔｔｐ：／／ｗｗｗ．ｊｅｉｔａ．ｏｒ．ｊｐ／ｊａｐａｎｅｓｅ／ｓｔａｎｄａｒｄ／ｂｏｏｋ／ＣＰ−１２２１
ＪＥＩＴＡ  ＣＰ−１２２２  可視光ＩＤシステム  ２００７年６月
ｈｔｔｐ：／／ｗｗｗ．ｊｅｉｔａ．ｏｒ．ｊｐ／ｊａｐａｎｅｓｅ／ｓｔａｎｄａｒｄ／ｂｏｏｋ／ＣＰ−１２２２
ＪＥＩＴＡ  ＣＰ−１２２３  可視光ビーコンシステム  ２０１３年５月
ｈｔｔｐ：／／ｗｗｗ．ｊｅｉｔａ．ｏｒ．ｊｐ／ｊａｐａｎｅｓｅ／ｓｔａｎｄａｒｄ／ｂｏｏｋ／ＣＰ−１２２３
可視光源から、簡単な情報やその可視光源に固有なＩＤ情報を放射送信させることで、ものの識別、位置情報の提供、各種案内システムの構築など様々な応用を図るものである。
・ＡＲＩＢ  ＳＴＤ−Ｔ５０  ４．０版（電波産業会）２００９年１２月
下り可視光、上り赤外を用いた光ＬＡＮ（赤外光ＬＡＮの可視光拡張）である。
ｈｔｔｐ：／／ｗｗｗ．ａｒｉｂ．ｏｒ．ｊｐ／ｅｎｇｌｉｓｈ／ｈｔｍｌ／ｏｖｅｒｖｉｅｗ／ｄｏｃ／１−ＳＴＤ−Ｔ５０ｖ４＿０．ｐｄｆ
・ＩｒＤＡ「可視光通信標準規格」１．０版（可視光通信コンソーシアムとＩｒＤＡの共同）  ２００９年２月
ＩｒＤＡの可視光通信拡張、互換性確保規格である。
・ＩＥＥＥ  ８０２．１５．７  （２００９年１月）
規格リリース済みの可視光通信規格である。
・ＩＥＥＥ  ８０２．１５．ＳＧ７ａ
イメージセンサーを使った可視光通信規格である。
【００２９】
携帯端末１００から可視光通信用の発光を行い、光を当てた印刷装置１５０に対し印刷指示を送信する。そして、印刷装置１５０で携帯端末１００からの光を受け、印刷指示を受信する。
携帯端末１００から印刷装置１５０に、可視光通信で印刷指示を送信する際に、携帯端末１００で、印刷指示の送信先を選択する操作を入力しない。
携帯端末１００の通信設定情報（例えば、ＷｉＦｉ等の無線通信に必要な設定情報）を印刷装置１５０に送信しないようにしてもよい。そして、携帯端末１００から通信設定情報が送信されてこない場合はもちろんのこと、携帯端末１００から通信設定情報が送信されたとしても、携帯端末１００の通信設定情報を印刷装置１５０に設定しないようにしてもよい。
【００３０】
携帯端末１００は、図１の例に示すように、可視光送信モジュール１０５、受信モジュール１１０、通信制御モジュール１１５、ユーザーインタフェースモジュール１２０、ファイル記憶モジュール１２５を有している。携帯端末１００は、一般的にモバイル端末ともいわれ、例えば、携帯電話（スマートフォンを含む）、ノートＰＣ（Ｐｅｒｓｏｎａｌ  Ｃｏｍｐｕｔｅｒ）、ウェアラブル端末（例えば、腕時計型端末、メガネ型端末等）等が該当する。可視光通信（少なくとも送信用の可視光通信）ができるものであり、ユーザーの操作にしたがって印刷指示を印刷装置１５０に送信するものである。
【００３１】
可視光送信モジュール１０５は、通信制御モジュール１１５と接続されている。可視光送信モジュール１０５は、可視光通信用の発光を行う。通信制御モジュール１１５による制御によって、可視光通信によって、印刷指示を印刷装置１５０に送信する。
また可視光送信モジュール１０５は、印刷指示の送信先である印刷装置１５０を選択するユーザーの操作を受け付けることなく、印刷指示を印刷装置１５０に送信するようにしてもよい。ユーザーにとっては、一般的な無線通信において必要な、通信相手である印刷装置１５０のアドレス、名称等を選択する必要がなくなる。さらに、携帯端末１００は、印刷装置１５０との通信に必要な通信設定情報（例えば、印刷装置１５０のアドレス、名称等）を記憶していなくてもよい。
また、可視光送信モジュール１０５は、携帯端末１００が有しているカメラと同じ向きに設置されていてもよい。この場合、カメラで撮影した画像をユーザーインタフェースモジュール１２０のディスプレイに表示させることによって、ユーザーが可視光通信の受信先（印刷装置１５０）を確認できるようにしてもよい。
受信モジュール１１０は、通信制御モジュール１１５と接続されている。受信モジュール１１０は、印刷装置１５０からの情報を受信する。可視光通信用の受信装置であってもよいし、他の通信装置であってもよい。例えば、ＷｉＦｉ、近距離無線通信のブルートゥース（Ｂｌｕｅｔｏｏｔｈ（登録商標））等であってもよい。
【００３２】
通信制御モジュール１１５は、可視光送信モジュール１０５、受信モジュール１１０、ユーザーインタフェースモジュール１２０、ファイル記憶モジュール１２５と接続されている。通信制御モジュール１１５は、可視光送信モジュール１０５を介して、可視光通信によって、印刷指示を印刷装置１５０に送信する。可視光通信を用いることによって、ユーザーにとって、発信源、受信先（印刷装置１５０）、通信経路が目に見えるので、通信範囲が分かりやすい。
また、通信制御モジュール１１５は、複数回、印刷指示を送信するようにしてもよい。印刷指示のヘッダ部分を受信できずに、可視光通信による受信が始まることがあるからである。つまり、可視光を印刷装置１５０の受光センサーに当てる前に、可視光通信を始めてしまうことがあり得るからである。
また、携帯端末１００が印刷指示を複数回送信した場合は、印刷装置１５０の通信制御モジュール１６５は、前回受信したものと同じであるか否かを判断し、同じである場合は、その受信を破棄するようにしてもよい。
【００３３】
ユーザーインタフェースモジュール１２０は、通信制御モジュール１１５、ファイル記憶モジュール１２５と接続されている。ユーザーインタフェースモジュール１２０は、タッチスクリーン、音声、視線、ジェスチャ、マウス、キーボード等を用いたユーザーの操作を受け付ける。ユーザーの操作として、印刷指示等がある。また、ユーザーインタフェースモジュール１２０は、液晶ディスプレイ、スピーカー、振動装置等によって、情報をユーザーに知らせる。また、ユーザーインタフェースモジュール１２０は、印刷装置１５０から印刷指示を受信した旨を示す情報を受信した場合は、その旨の提示を行うようにしてもよい。その提示を受けたユーザーは、可視光通信を中止する操作（可視光通信の光の消灯、可視光通信の光を印刷装置１５０の受光センサーからはずすこと等）を行うこととなる。また、ユーザーインタフェースモジュール１２０は、可視光通信によって印刷指示を印刷装置１５０に送信する場合は、ユーザーが可視光を印刷装置１５０に当てる動作を行う旨の示唆を提示するようにしてもよい。可視光通信によって印刷指示を印刷装置１５０に送信する際に、ユーザーは実施すべき動作がわかりやすくなる。
ファイル記憶モジュール１２５は、通信制御モジュール１１５、ユーザーインタフェースモジュール１２０と接続されている。ファイル記憶モジュール１２５は、印刷対象となるファイルを記憶している。通信制御モジュール１１５は、印刷指示として、印刷対象であるファイルを含めてもよい。
【００３４】
印刷装置１５０は、図１の例に示すように、可視光受信モジュール１５５、送信モジュール１６０、通信制御モジュール１６５、ユーザーインタフェースモジュール１７０、印刷制御モジュール１７５、ファイル記憶モジュール１８０、印刷モジュール１８５を有している。印刷装置１５０は、一般的に、プリンター、プリンター機能を有する複合機（スキャナー、プリンター、複写機、ファックス等のいずれか２つ以上の機能を有している画像処理装置）等が該当する。
【００３５】
可視光受信モジュール１５５は、通信制御モジュール１６５と接続されている。可視光受信モジュール１５５は、可視光通信によって、印刷指示を携帯端末１００から受信する。
送信モジュール１６０は、通信制御モジュール１６５と接続されている。送信モジュール１６０は、携帯端末１００へ情報を送信する。可視光通信用の送信装置であってもよいし、他の通信装置であってもよい。例えば、ＷｉＦｉ、ブルートゥース等であってもよい。
【００３６】
通信制御モジュール１６５は、可視光受信モジュール１５５、送信モジュール１６０、ユーザーインタフェースモジュール１７０、印刷制御モジュール１７５、ファイル記憶モジュール１８０と接続されている。通信制御モジュール１６５は、可視光受信モジュール１５５を介して、可視光通信によって、印刷指示を携帯端末１００から受信する。
また、通信制御モジュール１６５は、可視光通信によって印刷指示を送信してきた携帯端末１００の通信設定情報を設定しないようにしてもよい。携帯端末１００の通信設定情報が送信されていない場合は、もちろんのこと、携帯端末１００の通信設定情報を設定しない。たとえ、携帯端末１００の通信設定情報が送信されてきた場合であっても、携帯端末１００の通信設定情報を設定しない。印刷装置１５０内に、携帯端末１００の情報を残さないためである。
また、可視光通信以外の無線通信を行う場合であって、携帯端末１００が通信設定情報を送信してきたときは、その通信設定情報を用いて、今回の印刷指示に関する通信を、可視光通信以外の無線通信によって行う。そして、今回の印刷指示に関する通信が終了した後は、印刷装置１５０からその通信設定情報を削除する。
また、通信制御モジュール１６５は、可視光受信モジュール１５５が印刷指示を携帯端末１００から受信したことを示す情報（例えば、受信完了通知等）を、携帯端末１００に送信しないようにしてもよい。この場合は、携帯端末１００から印刷装置１５０への一方通行（片方通行）の通信となってもよい。
【００３７】
ユーザーインタフェースモジュール１７０は、通信制御モジュール１６５、印刷制御モジュール１７５と接続されている。ユーザーインタフェースモジュール１７０は、タッチスクリーン、音声、視線、ジェスチャ、マウス、キーボード等を用いたユーザーの操作を受け付ける。また、ユーザーインタフェースモジュール１７０は、液晶ディスプレイ、スピーカー、振動装置等によって、情報をユーザーに知らせる。例えば、可視光通信によって印刷指示を携帯端末１００から受信する場合は、ユーザーが可視光を印刷装置１５０に当てる動作を行う旨の示唆を提示するようにしてもよい。可視光通信によって印刷指示を印刷装置１５０に送信する際に、ユーザーは実施すべき動作がわかりやすくなる。
印刷制御モジュール１７５は、通信制御モジュール１６５、ユーザーインタフェースモジュール１７０、ファイル記憶モジュール１８０、印刷モジュール１８５と接続されている。印刷制御モジュール１７５は、通信制御モジュール１６５が受信した印刷指示にしたがって、印刷モジュール１８５を用いて印刷処理を行わせる。
ファイル記憶モジュール１８０は、通信制御モジュール１６５、印刷制御モジュール１７５と接続されている。ファイル記憶モジュール１８０は、通信制御モジュール１６５が受信した印刷指示内のファイルを記憶する。
印刷モジュール１８５は、印刷制御モジュール１７５と接続されている。印刷モジュール１８５は、印刷制御モジュール１７５の制御にしたがって、印刷処理を行う。
【００３８】
図２は、第１の実施の形態を利用したシステム構成例等を示す説明図である。
図２（ａ）の例に示すように、印刷装置１５０で携帯端末１００からの可視光通信による光を受け、印刷指示を受信する。そして、印刷装置１５０は、携帯端末１００から送信されてきたファイルを印刷する。ユーザーは、印刷済みの用紙を印刷装置１５０から取り出す。
印刷装置１５０の可視光受信装置は、外部（携帯端末１００）から光を当てることができる領域（例えば、前面部分、上面部分）に備えつけられている。
【００３９】
図２（ａ）の例では、携帯端末１００と印刷装置１５０は離れているが、可視光通信が可能であれば密接していてもよい。例えば、図２（ｂ１）に示すように、印刷装置１５０の上面部分に携帯端末１００の携帯端末置場２２０を備えてもよい。
そして、例えば、図２（ｂ２）に示すように、携帯端末置場２２０の上側面に可視光受信装置２２５を備えてもよい。また、携帯端末置場２２０の底面に可視光受信装置２３０を備えてもよい。可視光受信装置２２５は、携帯端末置場２２０の上側面の全面であってもよい。可視光受信装置２３０は、携帯端末置場２２０の底面の全面であってもよい。また、可視光受信装置２２５（可視光受信装置２３０）は、上側面、右側面、左側面、下側面、底面にあってもよいし、それらの全面であってもよい。携帯端末１００の可視光通信送信装置の位置に合わせて設置すればよい。
さらに、携帯端末置場２２０の全体（上側面、下側面、右側面、左側面、底面）に可視光受信装置２２５（可視光受信装置２３０）を設置してもよい。携帯端末１００がどのように置かれても、又は、どのような機種の携帯端末１００にも対応するためである。
【００４０】
一方、携帯端末１００は、図２（ｂ３）の例に示すように、携帯端末１００の側面に可視光送信装置２５０を備えていてもよい。また、図２（ｂ４）の例に示すように、カメラ２６０の近辺に可視光送信装置２５５を備えていてもよい。この場合、前述したように、可視光通信の受信側（印刷装置１５０）をカメラ２６０で撮影して、携帯端末１００のディスプレイに表示することによって、通信相手を確認することができるようになる。また、携帯端末１００に備え付けられているストロボ、ディスプレイ等を可視光通信における発光装置として利用してもよい。
【００４１】
図３と図４は、第１の実施の形態による処理例を示すフローチャートである。
印刷装置１５０は以下の処理を行う。
ステップＰ３０２では、印刷装置１５０本体は低消費電力モードである。可視光センサーは動作している。可視光通信の受信待ちの状態である。
ステップＫ３０８を待って、ステップＰ３０４に進む。
ステップＰ３０４では、可視光センサーが、可視光通信規格に基づく可視光を受光したか否かを判断し、受光した場合はステップＰ３０６へ進み、それ以外の場合はステップＰ３０２に戻る。
ステップＰ３０６では、受光した可視光が、プリントジョブを含むか否かを判断し、含む場合はステップＰ３０８へ進み、それ以外の場合はステップＰ３０２に戻る。
【００４２】
ステップＰ３０８では、印刷装置１５０がプリントジョブを受光したことを携帯端末１００に通知する。なお、この通知は、可視光通信であってもよいし、ＷｉＦｉ等の無線通信でもよい。
ステップＰ３１０では、印刷装置１５０がプリントジョブを受光したことを示す通知（可視光通信又は無線通信）を携帯端末１００に対して行う。
ステップＰ３１２では、印刷装置１５０本体の低消費電力モードを解除し、プリントモードにする。プリントジョブにしたがって、プリントする。
【００４３】
一方、携帯端末１００は以下の処理を行う。なお、ステップＵとして、ユーザーの動作についても説明する。
ステップＫ３０２では、ユーザーにより、画像ファイルアイコンが選択される。印刷装置１５０の選択操作は入力されない。携帯端末１００には、印刷装置１５０のアドレスが登録されていなくてもよい。第１の実施の形態を用いない場合（従来技術を用いた場合）、印刷装置１５０のアドレスを携帯端末１００に登録しているので、印刷装置１５０の選択時に多くの印刷装置名（プリンター名）が選択肢のリストに表示され、選択操作が不便になる。第１の実施の形態では、携帯端末１００に印刷装置１５０のアドレスを登録しなくても印刷できることとなる。もちろんのことながら、携帯端末１００のディスプレイ上で印刷装置１５０を選択する操作も不要である。
ステップＫ３０４では、可視光通信開始アイコンがクリックされる。ステップＫ３０２で選択された画像ファイルを送信する指示である。
ステップＫ３０６では、携帯端末１００が可視光通信規格に基づき発光する。
【００４４】
ステップＵ３０２では、ユーザーが、可視光をプリントさせたい印刷装置１５０に当てる。
ステップＫ３０８では、可視光通信規格に基づく可視光で、プリントジョブを印刷装置１５０に送信する。
なお、この場合、ＷｉＦｉ通信における携帯端末１００のアドレスを印刷装置１５０に送らないようにしてもよい。ＷｉＦｉ等の無線通信では、携帯端末１００と印刷装置１５０とでコネクションを設定する必要があるので、携帯端末１００のアドレスを印刷装置１５０に送り、印刷装置１５０がそのアドレスを一時的に記憶する。携帯端末１００のアドレスが印刷装置１５０に知られることになり、セキュリティ上の懸念がある。この場合、携帯端末１００のアドレスを印刷装置１５０に送らないので、セキュリティ上の不安がない。
ステップＰ３１０を待って、ステップＫ３１０に進む。
【００４５】
ステップＫ３１０では、印刷装置１５０がプリントジョブを受光したことを示す通知を受信する（可視光通信又は無線通信）。
なお、印刷装置１５０がプリントジョブを受光したことを示す通知を、無線通信経由で送信しないようにしてもよい。つまり、ステップＰ３０８、ステップＰ３１０を行わない。その結果、ステップＫ３１０も不要となる。この場合、ユーザーは、印刷装置１５０のユーザーインタフェース表示を見て、プリントジョブ送信が成功したことを知る。そして、携帯端末１００で、可視光の発光を終了させる操作をする。可視光通信以外の無線通信で印刷装置１５０から携帯端末１００へ通信するためには、印刷装置１５０に携帯端末１００のアドレスを知らせる必要がある。ステップＰ３０８、ステップＰ３１０を行わないことによって、その必要がなくなり、操作が簡単になり、セキュリティ上の不安もなくなる。
【００４６】
ステップＫ３１２では、携帯端末１００は、可視光の発光を終了する。つまり、可視光通信を終了させる。
ステップＫ３１４では、印刷装置１５０がプリントジョブを受光したことを示す、ユーザーに伝えるための処理（例えば、表示、通知音、振動等）をする。なお、このステップＫ３１４を不要としてもよい。
その後、ユーザーの動作として、以下のことが行われる。
ステップＵ３０４では、ユーザーは、発光している可視光をプリントさせたい印刷装置１５０に当てることを終了する。
ステップＵ３０６では、ユーザーは、印刷装置１５０からプリント結果を確保する。
【００４７】
図５〜図９は、携帯端末１００又は印刷装置１５０のディスプレイの表示例を示している。
図５は、第１の実施の形態（携帯端末１００）による処理例を示す説明図である。具体的には、フローチャートのステップＫ３０２、ステップＫ３０４における表示例である。
携帯端末１００は、ディスプレイ５００を有している。ディスプレイ５００に表示している内容を示している。
ディスプレイ５００は、３つの領域として、画像表示領域５１０、コマンド表示領域５２０、メッセージ表示領域５３０を有している。
画像表示領域５１０には、画像Ａアイコン５１２、画像Ｂアイコン５１４、画像Ｃアイコン５１６、画像Ｄアイコン５１８を表示する。
コマンド表示領域５２０には、「可視光で印刷ジョブ送信」アイコン５２２、「ＷｉＦｉで印刷ジョブ送信」アイコン５２４を表示する。
メッセージ表示領域５３０には、メッセージ表示領域５３２を表示する。メッセージ表示領域５３２には、例えば「印刷したい画像を選択し、コマンドをクリックしてください。」と表示する。
図５の例では、画像Ａアイコン５１２と画像Ｂアイコン５１４が選択されたことを示している。この後、「可視光で印刷ジョブ送信」アイコン５２２がクリックされると、フローチャートのステップＫ３０６に移動する。
【００４８】
図６は、第１の実施の形態（携帯端末１００）による処理例を示す説明図である。具体的には、フローチャートのステップＫ３０６、ステップＵ３０２における表示例である。
「可視光で印刷ジョブ送信」アイコン５２２が、ユーザーの選択によって選択されている。
「可視光で印刷ジョブ送信」アイコン５２２の選択を受け付けると、携帯端末１００が可視光通信規格に基づき発光する（ステップＫ３０２）。そして、ユーザーが実施すべき動作として、ユーザーが可視光を印刷装置１５０に当てる動作の示唆を、メッセージ表示領域５３２に表示する。メッセージ表示領域５３２には、例えば「可視光を印刷したいプリンターの受光部に当ててください。」と表示する。この表示により、ユーザーは実施すべき動作がわかりやすくなる。
【００４９】
図７は、第１の実施の形態（携帯端末１００）による処理例を示す説明図である。具体的には、フローチャートのステップＫ３１０からステップＫ３１４、ステップＵ３０４における表示例である。
「可視光で印刷ジョブ送信」アイコン５２２が、ユーザーの選択によって選択されている。
携帯端末１００の発光が終了する（ステップＫ３１２）。そして、ユーザーが実施すべき動作として、ユーザーが可視光を印刷装置１５０に当てることを終了する動作の示唆を、メッセージ表示領域５３２に表示する。メッセージ表示領域５３２には、例えば「プリンターは、プリントジョブの受光を完了しました。可視光をプリンターに当てることを終了してください。」と表示する。この表示により、ユーザーは実施すべき動作がわかりやすくなる。
【００５０】
図８は、第１の実施の形態（印刷装置１５０）による処理例を示す説明図である。具体的には、フローチャートのステップＰ３０４、ステップＰ３０６における表示例である。
表示装置８００は、ディスプレイ８１０を有している。
ディスプレイ８１０は、コマンド表示領域８２０、メッセージ表示領域８４０を有している。
コマンド表示領域８２０には、コピーアイコン８２２、ファックスアイコン８２４、スキャンアイコン８２６、ユーザー管理アイコン８２８、ジョブ管理アイコン８３０を表示する。
メッセージ表示領域８４０には、メッセージ表示領域８４２を表示する。
印刷装置１５０が可視光通信規格に基づき受光している。そして、ユーザーが実施すべき動作として、ユーザーが可視光を印刷装置１５０に当てる動作の示唆を、メッセージ表示領域８４２に表示する。メッセージ表示領域８４２には、例えば「可視光でプリントジョブを受光中です。携帯端末が発光している可視光をプリンターに当て続けてください。」と表示する。この表示により、ユーザーは実施すべき動作がわかりやすくなる。
【００５１】
図９は、第１の実施の形態（印刷装置１５０）による処理例を示す説明図である。具体的には、フローチャートのステップＰ３０８における表示例である。
印刷装置１５０が受光を完了した場合、ユーザーが実施すべき動作として、ユーザーが可視光を印刷装置１５０に当てることを終了する動作の示唆を、メッセージ表示領域８４２に表示する。メッセージ表示領域８４２には、例えば「可視光でプリントジョブの受光を完了しました。携帯端末が発光している可視光をプリンターに当てることを終了してください。」と表示する。この表示により、ユーザーは実施すべき動作がわかりやすくなる。
【００５２】
＜第２の実施の形態＞
図１０は、第２の実施の形態の構成例についての概念的なモジュール構成図を示している。第２の実施の形態は、第１の実施の形態とは逆に、画像読取装置１０５０で読み込んだ画像を、携帯端末１０００に可視光通信によって送信するものである。
第２の実施の形態は、携帯端末１０００と画像読取装置１０５０によって構成されている。携帯端末１０００は、画像読取装置１０５０から画像を受信するものであって、画像読取装置１０５０は、画像を読み取って、その画像を携帯端末１０００に送信するものである。例えば、画像読取装置１０５０を臨時に利用しなければならない場面（出張先等の画像読取装置１０５０を１回だけ利用するような場合等）では、携帯端末１０００と画像読取装置１０５０間の通信を行うための設定を行うのは、煩わしいことであり、セキュリティ上からもそのような設定を残しておくことは問題がある。第２の実施の形態は、このような場合でも、通信設定をすることなく、画像読取装置１０５０で読み込んだ画像を、ユーザーの携帯端末１０００で受信することができるようになる。
携帯端末１０００と画像読取装置１０５０間の通信（特に、少なくとも画像読取装置１０５０から携帯端末１０００への通信）として、可視光通信を用いる。
【００５３】
画像読取装置１０５０から可視光通信用の発光を行い、光を当てた携帯端末１０００に対し画像を送信する。そして、携帯端末１０００で画像読取装置１０５０からの光を受け、画像を受信する。
画像読取装置１０５０から携帯端末１０００に、可視光通信で画像を送信する際に、画像読取装置１０５０で、画像の送信先を選択する操作を入力しない。
画像読取装置１０５０の通信設定情報（例えば、ＷｉＦｉ等の無線通信に必要な設定情報）を携帯端末１０００に送信しないようにしてもよい。そして、画像読取装置１０５０から通信設定情報が送信されてこない場合はもちろんのこと、画像読取装置１０５０から通信設定情報が送信されたとしても、画像読取装置１０５０の通信設定情報を携帯端末１０００に設定しないようにしてもよい。
【００５４】
携帯端末１０００は、図１０の例に示すように、可視光受信モジュール１００５、送信モジュール１０１０、通信制御モジュール１０１５、ユーザーインタフェースモジュール１０２０、ファイル記憶モジュール１０２５を有している。携帯端末１０００は、一般的にモバイル端末ともいわれ、例えば、携帯電話（スマートフォンを含む）、ノートＰＣ（Ｐｅｒｓｏｎａｌ  Ｃｏｍｐｕｔｅｒ）、ウェアラブル端末（例えば、腕時計型端末、メガネ型端末等）等が該当する。可視光通信（少なくとも受信用の可視光通信）ができるものであり、ユーザーの操作にしたがって画像を画像読取装置１０５０から受信するものである。
【００５５】
可視光受信モジュール１００５は、通信制御モジュール１０１５と接続されている。可視光受信モジュール１００５は、可視光通信用の受光を行う。通信制御モジュール１０１５による制御によって、画像を、可視光通信によって、画像読取装置１０５０から受信する。
また、可視光受信モジュール１００５は、携帯端末１０００が有しているカメラと同じ向きに設置されていてもよい。この場合、カメラで撮影した画像をユーザーインタフェースモジュール１０２０のディスプレイに表示させることによって、ユーザーが可視光通信の送信先（画像読取装置１０５０）を確認できるようにしてもよい。
送信モジュール１０１０は、通信制御モジュール１０１５と接続されている。送信モジュール１０１０は、画像読取装置１０５０へ情報を送信する。可視光通信用の送信装置であってもよいし、他の通信装置であってもよい。例えば、ＷｉＦｉ、ブルートゥース等であってもよい。
【００５６】
通信制御モジュール１０１５は、可視光受信モジュール１００５、送信モジュール１０１０、ユーザーインタフェースモジュール１０２０、ファイル記憶モジュール１０２５と接続されている。通信制御モジュール１０１５は、可視光受信モジュール１００５を介して、画像を、可視光通信によって、画像読取装置１０５０から受信する。可視光通信を用いることによって、ユーザーにとって、発信源（画像読取装置１０５０）、受信先、通信経路が目に見えるので、通信範囲が分かりやすい。
また、通信制御モジュール１０１５は、画像を可視光通信によって送信してきた画像読取装置１０５０の通信設定情報を設定しないようにしてもよい。
また、通信制御モジュール１０１５は、可視光受信モジュール１００５が画像を画像読取装置１０５０から受信したことを示す情報を、画像読取装置１０５０に送信しないようにしてもよい。この場合は、画像読取装置１０５０から携帯端末１０００への一方通行（片方通行）の通信となってもよい。
ユーザーインタフェースモジュール１０２０は、通信制御モジュール１０１５、ファイル記憶モジュール１０２５と接続されている。ユーザーインタフェースモジュール１０２０は、タッチスクリーン、音声、視線、ジェスチャ、マウス、キーボード等を用いたユーザーの操作を受け付ける。ユーザーの操作として、画像の受信指示等がある。また、ユーザーインタフェースモジュール１０２０は、液晶ディスプレイ、スピーカー、振動装置等によって、情報をユーザーに知らせる。
ファイル記憶モジュール１０２５は、通信制御モジュール１０１５、ユーザーインタフェースモジュール１０２０と接続されている。ファイル記憶モジュール１０２５は、画像読取装置１０５０から送信されてきた画像（ファイル）を記憶する。
【００５７】
画像読取装置１０５０は、図１０の例に示すように、可視光送信モジュール１０５５、受信モジュール１０６０、通信制御モジュール１０６５、ユーザーインタフェースモジュール１０７０、画像読取制御モジュール１０７５、ファイル記憶モジュール１０８０、画像読取モジュール１０８５を有している。画像読取装置１０５０は、一般的に、スキャナー、スキャナー機能を有する複合機等が該当する。
【００５８】
可視光送信モジュール１０５５は、通信制御モジュール１０６５と接続されている。可視光送信モジュール１０５５は、可視光通信用の発光を行う。通信制御モジュール１０６５による制御によって、画像読取モジュール１０８５が読み取った画像を、可視光通信によって、携帯端末１０００に送信する。
また、可視光送信モジュール１０５５は、画像の送信先である携帯端末１０００を選択するユーザーの操作を受け付けることなく、画像を携帯端末１０００に送信するようにしてもよい。ユーザーにとっては、一般的な無線通信において必要な、通信相手である携帯端末１０００のアドレス、名称等を選択する必要がなくなる。さらに、画像読取装置１０５０は、携帯端末１０００との通信に必要な通信設定情報（例えば、携帯端末１０００のアドレス、名称等）を記憶していなくてもよい。
受信モジュール１０６０は、通信制御モジュール１０６５と接続されている。受信モジュール１０６０は、携帯端末１０００からの情報を受信する。可視光通信用の受信装置であってもよいし、他の通信装置であってもよい。例えば、ＷｉＦｉ、ブルートゥース等であってもよい。
【００５９】
通信制御モジュール１０６５は、可視光送信モジュール１０５５、受信モジュール１０６０、ユーザーインタフェースモジュール１０７０、画像読取制御モジュール１０７５、ファイル記憶モジュール１０８０と接続されている。通信制御モジュール１０６５は、可視光送信モジュール１０５５を介して、画像読取モジュール１０８５が読み取った画像を、可視光通信によって、携帯端末１０００に送信する。可視光通信を用いることによって、ユーザーにとって、発信源、受信先（携帯端末１０００）、通信経路が目に見えるので、通信範囲が分かりやすい。
また、通信制御モジュール１０６５は、複数回、画像を送信するようにしてもよい。画像送信のヘッダ部分を受信できずに、可視光通信による受信が始まることがあるからである。つまり、可視光を携帯端末１０００の受光センサーに当てる前に、可視光通信を始めてしまうことがあり得るからである。
また、画像読取装置１０５０が画像を複数回送信した場合は、携帯端末１０００の通信制御モジュール１０１５は、前回受信したものと同じであるか否かを判断し、同じである場合は、その受信を破棄するようにしてもよい。
【００６０】
ユーザーインタフェースモジュール１０７０は、通信制御モジュール１０６５、画像読取制御モジュール１０７５と接続されている。ユーザーインタフェースモジュール１０７０は、タッチスクリーン、音声、視線、ジェスチャ、マウス、キーボード等を用いたユーザーの操作を受け付ける。ユーザーの操作として、印刷指示等がある。また、ユーザーインタフェースモジュール１０７０は、液晶ディスプレイ、スピーカー、振動装置等によって、情報をユーザーに知らせる。また、ユーザーインタフェースモジュール１０７０は、携帯端末１０００から画像を受信した旨を示す情報を受信した場合は、その旨の提示を行うようにしてもよい。その提示を受けたユーザーは、可視光通信を中止する操作（可視光通信の光を携帯端末１０００の受光センサーからはずすこと等）を行うこととなる。
【００６１】
画像読取制御モジュール１０７５は、通信制御モジュール１０６５、ユーザーインタフェースモジュール１０７０、ファイル記憶モジュール１０８０、画像読取モジュール１０８５と接続されている。画像読取制御モジュール１０７５は、画像読取モジュール１０８５を用いて画像を読み取らせる。
ファイル記憶モジュール１０８０は、通信制御モジュール１０６５、画像読取制御モジュール１０７５と接続されている。ファイル記憶モジュール１０８０は、画像読取モジュール１０８５が読み取った画像（ファイル）を記憶する。そして、その画像を通信制御モジュール１０６５に渡す。
画像読取モジュール１０８５は、画像読取制御モジュール１０７５と接続されている。画像読取モジュール１０８５は、画像読取制御モジュール１０７５の制御にしたがって、画像の読み取りを行う。
【００６２】
図１１は、第２の実施の形態を利用したシステム構成例等を示す説明図である。
図１１（ａ）の例に示すように、画像読取装置１０５０は画像を読み取り、その後、携帯端末１０００で画像読取装置１０５０からの可視光通信による光を受け、画像を受信する。ユーザーは、受信した画像を携帯端末１０００のディスプレイに表示し、確認する。
画像読取装置１０５０の可視光送信装置は、外部（携帯端末１０００）に光を発することができる領域（例えば、前面部分、上面部分）に備えつけられている。
【００６３】
図１１（ａ）の例では、携帯端末１０００と画像読取装置１０５０は離れているが、可視光通信が可能であれば密接していてもよい。例えば、図１１（ｂ１）に示すように、画像読取装置１０５０の上面部分に携帯端末１０００の携帯端末置場１１２０を備えてもよい。
そして、例えば、図１１（ｂ２）に示すように、携帯端末置場１１２０の上側面に可視光送信装置１１２５を備えてもよい。また、携帯端末置場１１２０の底面に可視光送信装置１１３０を備えてもよい。可視光送信装置１１２５は、携帯端末置場１１２０の上側面の全面であってもよい。可視光送信装置１１３０は、携帯端末置場１１２０の底面の全面であってもよい。また、可視光送信装置１１２５（可視光送信装置１１３０）は、上側面、右側面、左側面、下側面、底面にあってもよいし、それらの全面であってもよい。携帯端末１０００の可視光通信受信装置の位置に合わせて設置すればよい。
さらに、携帯端末置場１１２０の全体（上側面、下側面、右側面、左側面、底面）に可視光送信装置１１２５（可視光送信装置１１３０）を設置してもよい。携帯端末１０００がどのように置かれても、又は、どのような機種の携帯端末１０００にも対応するためである。
【００６４】
一方、携帯端末１０００は、図１１（ｂ３）の例に示すように、携帯端末１０００の側面に可視光受信装置１１５０を備えていてもよい。また、図１１（ｂ４）の例に示すように、カメラ１１６０の近辺に可視光受信装置１１５５を備えていてもよい。この場合、前述したように、可視光通信の送信側（画像読取装置１０５０）をカメラ１１６０で撮影して、携帯端末１０００のディスプレイに表示することによって、通信相手を確認することができるようになる。また、カメラ１１６０は、可視光受信装置１１５０の機能を備えていてもよい。もちろんのことながら、その場合、図１１（ｂ４）の例に示すような可視光受信装置１１５０は不要となり、カメラ１１６０だけでよい。
【００６５】
図１２と図１３は、第２の実施の形態による処理例を示すフローチャートである。
画像読取装置１０５０は以下の処理を行う。なお、ステップＵとして、ユーザーの動作についても説明する。
ステップＵ１２０２では、ユーザーが、スキャン操作を行う。
ステップＳ１２０２では、スキャン操作を契機にして、画像読取装置１０５０本体の低消費電力モードを解除し、スキャンモードにする。そして、スキャンジョブを、実行する。
ステップＳ１２０４では、ユーザーにより、画像ファイルアイコン（読み込まれた画像を示すアイコン）が選択される。送信先である携帯端末１０００の選択操作は入力されない。画像読取装置１０５０には、携帯端末１０００のアドレスが登録されていなくてもよい。第２の実施の形態を用いない場合（従来技術を用いた場合）、携帯端末１０００のアドレスを画像読取装置１０５０に登録しているので、携帯端末１０００の選択時に多くの携帯端末１０００の名称が選択肢のリストに表示され、選択操作が不便になる。第２の実施の形態では、画像読取装置１０５０に携帯端末１０００のアドレスを登録しなくてもスキャン画像を転送できることとなる。もちろんのことながら、画像読取装置１０５０のディスプレイ上で携帯端末１０００を選択する操作も不要である。
【００６６】
ステップＳ１２０６では、可視光通信開始アイコンがクリックされる。ステップＳ１２０２で読み込まれた画像ファイルを送信する指示である。
ステップＳ１２０８では、画像読取装置１０５０が可視光通信規格に基づき発光する。
ステップＳ１２１０では、可視光通信規格に基づく可視光で、スキャン画像を携帯端末１０００に送信する。
なお、この場合、ＷｉＦｉ通信における画像読取装置１０５０のアドレスを携帯端末１０００に送らないようにしてもよい。ＷｉＦｉ等の無線通信では、画像読取装置１０５０と携帯端末１０００とでコネクションを設定する必要があるので、画像読取装置１０５０のアドレスを携帯端末１０００に送り、携帯端末１０００がそのアドレスを一時的に記憶する。画像読取装置１０５０のアドレスを携帯端末１０００に知られることになり、セキュリティ上の懸念がある。この場合、画像読取装置１０５０のアドレスを携帯端末１０００に送らないので、セキュリティ上の不安がない。
【００６７】
ステップＫ１２１０を待って、ステップＳ１２１２に進む。
ステップＳ１２１２では、携帯端末１０００がスキャン画像を受光したことを示す通知を受信する（可視光通信又は無線通信）。
なお、携帯端末１０００がスキャン画像を受光したことを示す通知を、無線通信経由で送信しないようにしてもよい。つまり、ステップＳ１２０８、ステップＳ１２１０を行わない。その結果、ステップＳ１２１２も不要となる。この場合、ユーザーは、携帯端末１０００のユーザーインタフェース表示を見て、スキャン画像送信が成功したことを知る。そして、画像読取装置１０５０で、可視光の発光を終了させる操作をする。可視光通信以外の無線通信で携帯端末１０００から画像読取装置１０５０へ通信するためには、携帯端末１０００に画像読取装置１０５０のアドレスを知らせる必要がある。ステップＳ１２０８、ステップＳ１２１０を行わないことによって、その必要がなくなり、操作が簡単になり、セキュリティ上の不安もなくなる。
【００６８】
ステップＳ１２１４では、画像読取装置１０５０は、可視光の発光を終了する。つまり、可視光通信を終了させる。
ステップＳ１２１６では、携帯端末１０００がスキャン画像を受光したことを、ユーザーに伝えるための処理（例えば、表示、通知音、振動等）をする。なお、このステップＳ１２１６を不要としてもよい。
【００６９】
一方、携帯端末１０００は以下の処理を行う。
ステップＫ１２０２では、可視光センサーは動作している。可視光通信の受信待ちの状態である。
ステップＵ１２０４では、ユーザーの動作として、受信すべき携帯端末１０００に画像読取装置１０５０からの可視光を当てる。
ステップＳ１２１０を待って、ステップＫ１２０４に進む。
ステップＫ１２０４では、可視光センサーが、可視光通信規格に基づく可視光を受光したか否かを判断し、受光した場合はステップＫ１２０６へ進み、それ以外の場合はステップＫ１２０２に戻る。
ステップＫ１２０６では、受光した可視光が、スキャン画像を含むか否かを判断し、含む場合はステップＫ１２０８へ進み、それ以外の場合はステップＫ１２０２に戻る。
【００７０】
ステップＫ１２０８では、携帯端末１０００がスキャン画像を受光したことを画像読取装置１０５０に通知する。なお、この通知は、可視光通信であってもよいし、ＷｉＦｉ等の無線通信でもよい。
ステップＫ１２１０では、携帯端末１０００がスキャン画像を受光したことを示す通知（可視光通信又は無線通信）を画像読取装置１０５０に対して行う。
ステップＫ１２１２では、携帯端末１０００がスキャン画像を受光したことを、ユーザーに伝えるための処理（例えば、表示、通知音、振動等）をする。なお、このステップＫ１２１２を不要としてもよい。
ステップＵ１２０６では、ユーザーは、発光している可視光に携帯端末１０００を当てることを終了する。
【００７１】
図１４〜図１８は、携帯端末１０００又は画像読取装置１０５０のディスプレイの表示例を示している。
図１４は、第２の実施の形態（画像読取装置１０５０）による処理例を示す説明図である。具体的には、フローチャートのステップＳ１２０４、ステップＳ１２０６における表示例である。
画像読取装置１０５０の表示装置１４００は、ディスプレイ１４０２を有している。ディスプレイ１４０２に表示している内容を示している。
ディスプレイ１４０２は、３つの領域として、画像表示領域１４１０、コマンド表示領域１４２０、メッセージ表示領域１４３０を有している。
画像表示領域１４１０には、画像Ａアイコン１４１２、画像Ｂアイコン１４１４、画像Ｃアイコン１４１６、画像Ｄアイコン１４１８を表示する。
コマンド表示領域１４２０には、「可視光でスキャン画像送信」アイコン１４２２、「ＷｉＦｉでスキャン画像送信」アイコン１４２４を表示する。
メッセージ表示領域１４３０には、メッセージ表示領域１４３２を表示する。
メッセージ表示領域１４３２には、例えば「送信したい画像を選択し、コマンドをクリックしてください。」と表示する。
画像読取装置１０５０のディスプレイ１４０２に、画像アイコンとコマンドアイコンを表示する。図１４の例では、画像Ａアイコン１４１２と画像Ｂアイコン１４１４が選択されたことを示している。この後、「可視光でスキャン画像送信」アイコン１４２２がクリックされると、フローチャートのステップＳ１２０８に移動する。
【００７２】
図１５は、第２の実施の形態（画像読取装置１０５０）による処理例を示す説明図である。具体的には、フローチャートのステップＳ１２０８、ステップＵ１２０４における表示例である。
「可視光でスキャン画像送信」アイコン１４２２が、ユーザーの選択によって選択されている。
「可視光でスキャン画像送信」アイコン１４２２の選択を受け付けると、画像読取装置１０５０が可視光通信規格に基づき発光している（ステップＳ１２０８）。そして、ユーザーが実施すべき動作として、ユーザーが可視光を携帯端末１０００の受光部に当てる動作の示唆を、メッセージ表示領域１４３２に表示する。メッセージ表示領域１４３２には、例えば「可視光を携帯端末の受光部に当ててください。」と表示する。この表示により、ユーザーは実施すべき動作がわかりやすくなる。
【００７３】
図１６は、第２の実施の形態（画像読取装置１０５０）による処理例を示す説明図である。具体的には、フローチャートのＳ１２１２からステップＳ１２１６、ステップＵ１２０６における表示例である。
「可視光でスキャン画像送信」アイコン１４２２が、ユーザーの選択によって選択されている。
画像読取装置１０５０の発光が終了する（ステップＳ１２１４）。そして、ユーザーが実施すべき動作として、ユーザーが可視光を携帯端末１０００に当てることを終了する動作の示唆を、メッセージ表示領域１４３２に表示する。メッセージ表示領域１４３２には、例えば「携帯端末は、スキャン画像の受光を完了しました。携帯端末に可視光を当てることを終了してください。」と表示する。この表示により、ユーザーは実施すべき動作がわかりやすくなる。
【００７４】
図１７は、第２の実施の形態（携帯端末１０００）による処理例を示す説明図である。具体的には、フローチャートのステップＳ１２１０、ステップＫ１２０４、ステップＫ１２０６における表示例である。
携帯端末１０００は、ディスプレイ１７１０を有している。
ディスプレイ１７１０は、メッセージ表示領域１７４０を有している。
メッセージ表示領域１７４０には、メッセージ表示領域１７４２を表示する。
携帯端末１０００が可視光通信規格に基づき受光している。そして、ユーザーが実施すべき動作として、ユーザーが可視光を携帯端末１０００に当てる動作の示唆を、メッセージ表示領域１７４２に表示する。メッセージ表示領域１７４２には、例えば「可視光でスキャン画像を受光中です。画像読取装置が発光している可視光を携帯端末に当て続けてください。」と表示する。この表示により、ユーザーは実施すべき動作がわかりやすくなる。
【００７５】
図１８は、第２の実施の形態（携帯端末１０００）による処理例を示す説明図である。具体的には、フローチャートのステップＫ１２１２、ステップＵ１２０６における表示例である。
携帯端末１０００がスキャン画像の受光を完了した場合、ユーザーが実施すべき動作として、ユーザーが可視光を携帯端末１０００に当てることを終了する動作の示唆を、メッセージ表示領域１７４２に表示する。メッセージ表示領域１７４２には、例えば「可視光でスキャン画像の受光を完了しました。画像読取装置が発光している可視光を携帯端末に当てることを終了してください。」と表示する。この表示により、ユーザーは実施すべき動作がわかりやすくなる。
【００７６】
図１９を参照して、本実施の形態の携帯端末１００、印刷装置１５０、携帯端末１０００、画像読取装置１０５０のハードウェア構成例について説明する。図１９に示す構成は、例えばパーソナルコンピュータ（ＰＣ）等によって構成されるものであり、スキャナー等のデータ読み取り部１９１７と、プリンター等のデータ出力部１９１８を備えたハードウェア構成例を示している。なお、携帯端末１００、携帯端末１０００では、データ読み取り部１９１７と、データ出力部１９１８を不要としてもよい。
【００７７】
ＣＰＵ（Ｃｅｎｔｒａｌ  Ｐｒｏｃｅｓｓｉｎｇ  Ｕｎｉｔ）１９０１は、前述の実施の形態において説明した各種のモジュール、すなわち、可視光送信モジュール１０５、受信モジュール１１０、通信制御モジュール１１５、ユーザーインタフェースモジュール１２０、可視光受信モジュール１５５、送信モジュール１６０、通信制御モジュール１６５、ユーザーインタフェースモジュール１７０、印刷制御モジュール１７５、印刷モジュール１８５、可視光受信モジュール１００５、送信モジュール１０１０、通信制御モジュール１０１５、ユーザーインタフェースモジュール１０２０、可視光送信モジュール１０５５、受信モジュール１０６０、通信制御モジュール１０６５、ユーザーインタフェースモジュール１０７０、画像読取制御モジュール１０７５、画像読取モジュール１０８５等の各モジュールの実行シーケンスを記述したコンピュータ・プログラムにしたがった処理を実行する制御部である。
【００７８】
ＲＯＭ（Ｒｅａｄ  Ｏｎｌｙ  Ｍｅｍｏｒｙ）１９０２は、ＣＰＵ１９０１が使用するプログラムや演算パラメータ等を格納する。ＲＡＭ（Ｒａｎｄｏｍ  Ａｃｃｅｓｓ  Ｍｅｍｏｒｙ）１９０３は、ＣＰＵ１９０１の実行において使用するプログラムや、その実行において適宜変化するパラメータ等を格納する。これらはＣＰＵバス等から構成されるホストバス１９０４により相互に接続されている。
【００７９】
ホストバス１９０４は、ブリッジ１９０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１９０６に接続されている。
【００８０】
キーボード１９０８、マウス等のポインティングデバイス１９０９は、操作者により操作されるデバイスである。ディスプレイ１９１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１９０９とディスプレイ１９１０の両方の機能を備えているタッチスクリーン等であってもよい。
【００８１】
ＨＤＤ（Ｈａｒｄ  Ｄｉｓｋ  Ｄｒｉｖｅ）１９１１は、ハードディスク（フラッシュメモリ等であってもよい）を内蔵し、ハードディスクを駆動し、ＣＰＵ１９０１によって実行するプログラムや情報を記録又は再生させる。ハードディスクは、ファイル記憶モジュール１２５、ファイル記憶モジュール１８０、ファイル記憶モジュール１０２５、ファイル記憶モジュール１０８０等としての機能を実現させる。さらに、その他の各種データ、各種コンピュータ・プログラム等が格納される。
【００８２】
ドライブ１９１２は、装着されている磁気ディスク、光ディスク、光磁気ディスク、又は半導体メモリ等のリムーバブル記録媒体１９１３に記録されているデータ又はプログラムを読み出して、そのデータ又はプログラムを、インタフェース１９０７、外部バス１９０６、ブリッジ１９０５、及びホストバス１９０４を介して接続されているＲＡＭ１９０３に供給する。なお、リムーバブル記録媒体１９１３も、データ記録領域として利用可能である。
【００８３】
接続ポート１９１４は、外部接続機器１９１５を接続するポートであり、ＵＳＢ、ＩＥＥＥ１３９４等の接続部を持つ。接続ポート１９１４は、インタフェース１９０７、及び外部バス１９０６、ブリッジ１９０５、ホストバス１９０４等を介してＣＰＵ１９０１等に接続されている。通信部１９１６は、通信回線に接続され、外部とのデータ通信処理を実行する。データ読み取り部１９１７は、例えばスキャナーであり、ドキュメントの読み取り処理を実行する。データ出力部１９１８は、例えばプリンターであり、ドキュメントデータの出力処理を実行する。
【００８４】
なお、図１９に示すハードウェア構成は、１つの構成例を示すものであり、本実施の形態は、図１９に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１９に示すシステムが複数互いに通信回線によって接続されていて互いに協調動作するようにしてもよい。
【００８５】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【００８６】
なお、本実施の形態の可視光通信で使用する可視光は、天井の照明のような拡散した可視光でもよく、また、懐中電灯のような収束した可視光でもよい。収束した可視光を使用する場合、拡散した可視光を使用する場合と比較して、希望する送信先だけに可視光を当てることが容易になり、ユーザーが使いやすくなる。
【００８７】
前述の実施の形態は以下のように把握してもよい。
［Ａ１］  可視光通信によって、印刷指示を画像出力装置に送信する送信手段
を有する携帯情報処理装置。
【００８８】
［Ａ２］  可視光通信によって、印刷指示を携帯情報処理装置から受信する受信手段
を有する画像出力装置。
【００８９】
［Ａ３］  可視光通信によって、印刷指示を画像出力装置に送信する送信手段
を有する携帯情報処理装置と、
可視光通信によって、前記印刷指示を前記携帯情報処理装置から受信する受信手段
を有する前記画像出力装置
を具備する画像出力システム。
【００９０】
［Ａ４］  前記送信手段は、
前記印刷指示の送信先である前記画像出力装置を選択するユーザーの操作を受け付けることなく、前記印刷指示を前記画像出力装置に送信する、
［Ａ１］に記載の携帯情報処理装置。
【００９１】
［Ａ５］  前記可視光通信によって印刷指示を送信してきた携帯情報処理装置の通信設定情報を設定しない、
［Ａ２］に記載の画像出力装置。
【００９２】
［Ａ６］  前記受信手段が印刷指示を携帯情報処理装置から受信したことを示す情報を、前記携帯情報処理装置に送信しない、
［Ａ２］又は［Ａ５］に記載の画像出力装置。
【００９３】
［Ａ７］  前記画像出力装置から前記印刷指示を受信した旨を示す情報を受信した場合は、該旨の提示を行う提示手段
をさらに有する［Ａ１］又は［Ａ４］に記載の携帯情報処理装置。
【００９４】
［Ａ８］  読み取った画像を可視光通信によって携帯情報処理装置に送信する送信手段
を有する画像読取装置。
【００９５】
［Ａ９］  画像を可視光通信によって画像読取装置から受信する受信手段
を有する携帯情報処理装置。
【００９６】
［Ａ１０］  読み取った画像を可視光通信によって携帯情報処理装置に送信する送信手段
を有する画像読取装置と、
前記画像を可視光通信によって前記画像読取装置から受信する受信手段
を有する携帯情報処理装置
を具備する画像読取システム。
【００９７】
［Ａ１１］  前記送信手段は、
前記画像の送信先である携帯情報処理装置を選択するユーザーの操作を受け付けることなく、前記画像を前記携帯情報処理装置に送信する、
［Ａ８］に記載の画像読取装置。
【００９８】
［Ａ１２］  前記可視光通信によって画像を送信してきた画像読取装置の通信設定情報を設定しない、
［Ａ９］に記載の携帯情報処理装置。
【００９９】
［Ａ１３］  前記受信手段が画像を画像読取装置から受信したことを示す情報を、前記画像読取装置に送信しない、
［Ａ９］又は［Ａ１２］に記載の携帯情報処理装置。
【０１００】
［Ａ１４］  前記携帯情報処理装置から前記画像を受信した旨を示す情報を受信した場合は、該旨の提示を行う提示手段
をさらに有する［Ａ８］又は［Ａ１１］に記載の画像読取装置。
【０１０１】
［Ａ１５］  コンピュータを、
可視光通信によって、印刷指示を画像出力装置に送信する送信手段
として機能させるための情報処理プログラム。
【０１０２】
［Ａ１６］  コンピュータを、
可視光通信によって、印刷指示を携帯情報処理装置から受信する受信手段
として機能させるための画像出力プログラム。
【０１０３】
［Ａ１７］  コンピュータを、
読み取った画像を可視光通信によって、携帯情報処理装置に送信する送信手段
として機能させるための画像読取プログラム。
【０１０４】
［Ａ１８］  コンピュータを、
画像を可視光通信によって、画像読取装置から受信する受信手段
として機能させるための情報処理プログラム。
【０１０５】
［Ａ１９］  前記携帯情報処理装置は、
前記可視光通信によって前記印刷指示を前記画像出力装置に送信する場合は、ユーザーが可視光を画像出力装置に当てる動作の示唆を提示する提示手段
をさらに有する［Ａ１］又は［Ａ４］に記載の携帯情報処理装置、又は［Ａ３］に記載の画像出力システム。
【０１０６】
［Ａ２０］  前記画像出力装置は、
前記可視光通信によって前記印刷指示を前記携帯情報処理装置から受信する場合は、ユーザーが可視光を画像出力装置に当てる動作の示唆を提示する提示手段
をさらに有する［Ａ２］に記載の画像出力装置、又は［Ａ３］に記載の画像出力システム。
【０１０７】
そして、前述の発明は、以下の効果を有する。
［Ａ１］の携帯情報処理装置によれば、可視光通信によって、印刷指示を画像出力装置に送信することができる。
【０１０８】
［Ａ２］の画像出力装置によれば、可視光通信によって、印刷指示を携帯情報処理装置から受信することができる。
【０１０９】
［Ａ３］の画像出力システムによれば、携帯情報処理装置から画像出力装置に、可視光通信によって、印刷指示を送信することができる。
【０１１０】
［Ａ４］の携帯情報処理装置によれば、印刷指示の送信先である画像出力装置を選択するユーザーの操作を受け付けることなく、印刷指示を画像出力装置に送信することができる。
【０１１１】
［Ａ５］の画像出力装置によれば、可視光通信によって印刷指示を送信してきた携帯情報処理装置の通信設定情報を設定しないようにすることができる。
【０１１２】
［Ａ６］の画像出力装置によれば、印刷指示を携帯情報処理装置から受信したことを示す情報を、その携帯情報処理装置に送信しないようにすることができる。
【０１１３】
［Ａ７］の携帯情報処理装置によれば、画像出力装置から印刷指示を受信した旨を示す情報を受信した場合は、その旨の提示を行うことができる。
【０１１４】
［Ａ８］の画像読取装置によれば、読み取った画像を可視光通信によって、携帯情報処理装置に送信することができる。
【０１１５】
［Ａ９］の携帯情報処理装置によれば、画像を可視光通信によって、画像読取装置から受信することができる。
【０１１６】
［Ａ１０］の画像読取システムによれば、画像読取装置から携帯情報処理装置に、可視光通信によって、画像を送信することができる。
【０１１７】
［Ａ１１］の画像読取装置によれば、画像の送信先である携帯情報処理装置を選択するユーザーの操作を受け付けることなく、画像を携帯情報処理装置に送信することができる。
【０１１８】
［Ａ１２］の携帯情報処理装置によれば、可視光通信によって画像を送信してきた画像読取装置の通信設定情報を設定しないようにすることができる。
【０１１９】
［Ａ１３］の携帯情報処理装置によれば、画像を画像読取装置から受信したことを示す情報を、画像読取装置に送信しないようにすることができる。
【０１２０】
［Ａ１４］の画像読取装置によれば、携帯情報処理装置から画像を受信した旨を示す情報を受信した場合は、その旨の提示を行うことができる。
【０１２１】
［Ａ１５］の情報処理プログラムによれば、可視光通信によって、印刷指示を画像出力装置に送信することができる。
【０１２２】
［Ａ１６］の画像出力プログラムによれば、可視光通信によって、印刷指示を携帯情報処理装置から受信することができる。
【０１２３】
［Ａ１７］の画像読取プログラムによれば、読み取った画像を可視光通信によって、携帯情報処理装置に送信することができる。
【０１２４】
［Ａ１８］の情報処理プログラムによれば、画像を可視光通信によって、画像読取装置から受信することができる。
【０１２５】
［Ａ１９］の携帯情報処理装置又は画像出力システムによれば、可視光通信によって印刷指示を画像出力装置に送信する際に、ユーザーは実施すべき動作がわかりやすくなる。
【０１２６】
［Ａ２０］の画像出力装置又は画像出力システムによれば、可視光通信によって印刷指示を画像出力装置が受信する際に、ユーザーは実施すべき動作がわかりやすくなる。
【０１２７】
さらに、前述の実施の形態は以下のように把握してもよい。
［Ｂ１］  可視光通信によって、印刷指示を画像出力装置の受光部に送信する送信手段と、
前記可視光通信によって前記印刷指示を前記受光部に送信する場合は、ユーザーが可視光を画像出力装置の受光部に当てる動作の示唆を提示する提示手段
を有する携帯情報処理装置。
【０１２８】
［Ｂ２］  可視光通信によって、印刷指示を携帯情報処理装置から受光部で受信する受信手段と、
前記可視光通信によって前記印刷指示を前記携帯情報処理装置から受信する場合は、ユーザーが可視光を画像出力装置の受光部に当てる動作の示唆を提示する提示手段
を有する画像出力装置。
【０１２９】
［Ｂ３］  可視光通信によって、印刷指示を画像出力装置の受光部に送信する送信手段と、
前記可視光通信によって前記印刷指示を前記受光部に送信する場合は、ユーザーが可視光を画像出力装置の受光部に当てる動作の示唆を提示する提示手段
を有する携帯情報処理装置と、
可視光通信によって、前記印刷指示を前記携帯情報処理装置から受光部で受信する受信手段と、
前記可視光通信によって前記印刷指示を前記携帯情報処理装置から受信する場合は、ユーザーが可視光を画像出力装置に当てる動作の示唆を提示する提示手段
を有する前記画像出力装置
を具備する画像出力システム。
【０１３０】
［Ｂ４］  携帯情報処理装置が有している撮影用光源又はディスプレイを用いた可視光通信によって、印刷指示を画像出力装置に送信する送信手段
を有する携帯情報処理装置。
【０１３１】
［Ｂ５］  前記送信手段は、本携帯情報処理装置が有しているカメラと同じ向きに設置されている、
［Ｂ４］に記載の携帯情報処理装置。
【０１３２】
［Ｂ６］  前記送信手段が撮影用光源を用いた可視光通信によって送信する場合、前記カメラで撮影した画像を本携帯情報処理装置のディスプレイに表示させる、
［Ｂ５］に記載の携帯情報処理装置。
【０１３３】
［Ｂ７］  携帯情報処理装置が有している撮影用光源又はディスプレイを用いた可視光通信によって、印刷指示を画像出力装置に送信する送信手段
を有する携帯情報処理装置と、
前記可視光通信によって、前記印刷指示を前記携帯情報処理装置から受信する受信手段
を有する前記画像出力装置
を具備する画像出力システム。
【０１３４】
［Ｂ８］  前記送信手段は、
前記印刷指示の送信先である前記画像出力装置を選択するユーザーの操作を受け付けることなく、前記印刷指示を前記画像出力装置に送信する、
［Ｂ１］、［Ｂ４］、［Ｂ５］又は［Ｂ６］のいずれか一項に記載の携帯情報処理装置。
【０１３５】
［Ｂ９］  前記可視光通信によって印刷指示を送信してきた携帯情報処理装置の通信設定情報を設定しない、
［Ｂ２］に記載の画像出力装置。
【０１３６】
［Ｂ１０］  前記受信手段が印刷指示を携帯情報処理装置から受信したことを示す情報を、前記携帯情報処理装置に送信しない、
［Ｂ２］又は［Ｂ９］に記載の画像出力装置。
【０１３７】
［Ｂ１１］  前記画像出力装置から前記印刷指示を受信した旨を示す情報を受信した場合は、該旨の提示を行う提示手段
をさらに有する［Ｂ１］、［Ｂ４］、［Ｂ５］、［Ｂ６］又は［Ｂ８］のいずれか一項に記載の携帯情報処理装置。
【０１３８】
［Ｂ１２］  読み取った画像を可視光通信によって携帯情報処理装置が有しているカメラに送信する送信手段と、
前記可視光通信によって送信する場合は、ユーザーが可視光を携帯情報処理装置の受光部であるカメラに当てる動作の示唆を提示する提示手段
を有する画像読取装置。
【０１３９】
［Ｂ１３］  携帯情報処理装置が有しているカメラを用いて、画像を可視光通信によって画像読取装置から受信する受信手段と、
前記可視光通信によって受信する場合は、ユーザーが可視光を携帯情報処理装置の受光部であるカメラに当てる動作の示唆を提示する提示手段
を有する携帯情報処理装置。
【０１４０】
［Ｂ１４］  読み取った画像を可視光通信によって携帯情報処理装置が有しているカメラに送信する送信手段と、
前記可視光通信によって送信する場合は、ユーザーが可視光を携帯情報処理装置の受光部であるカメラに当てる動作の示唆を提示する提示手段
を有する画像読取装置と、
携帯情報処理装置が有しているカメラを用いて、前記画像を可視光通信によって前記画像読取装置から受信する受信手段
を有する携帯情報処理装置
を具備する画像読取システム。
【０１４１】
［Ｂ１５］  前記送信手段は、
前記画像の送信先である携帯情報処理装置を選択するユーザーの操作を受け付けることなく、前記画像を前記携帯情報処理装置に送信する、
［Ｂ１２］に記載の画像読取装置。
【０１４２】
［Ｂ１６］  前記可視光通信によって画像を送信してきた画像読取装置の通信設定情報を設定しない、
［Ｂ１３］に記載の携帯情報処理装置。
【０１４３】
［Ｂ１７］  前記受信手段が画像を画像読取装置から受信したことを示す情報を、前記画像読取装置に送信しない、
［Ｂ１３］又は［Ｂ１６］に記載の携帯情報処理装置。
【０１４４】
［Ｂ１８］  前記携帯情報処理装置から前記画像を受信した旨を示す情報を受信した場合は、該旨の提示を行う提示手段
をさらに有する［Ｂ１２］又は［Ｂ１５］に記載の画像読取装置。
【０１４５】
［Ｂ１９］  携帯情報処理装置が有しているカメラを用いて、画像を可視光通信によって画像読取装置から受信する受信手段
をさらに有する［Ｂ１］、［Ｂ４］、［Ｂ５］又は［Ｂ６］に記載の携帯情報処理装置。
【０１４６】
［Ｂ２０］  前記可視光通信として収束した可視光を使用する、
［Ｂ１］から［Ｂ１９］のいずれか一項に記載の携帯情報処理装置、画像出力装置、画像読取装置、画像出力システム、画像読取システム。
【０１４７】
［Ｂ２１］  コンピュータである携帯情報処理装置を、
可視光通信によって、印刷指示を画像出力装置の受光部に送信する送信手段と、
前記可視光通信によって前記印刷指示を前記受光部に送信する場合は、ユーザーが可視光を画像出力装置の受光部に当てる動作の示唆を提示する提示手段
として機能させるための情報処理プログラム。
【０１４８】
［Ｂ２２］  コンピュータである画像出力装置を、
可視光通信によって、印刷指示を携帯情報処理装置から受光部で受信する受信手段と、
前記可視光通信によって前記印刷指示を前記携帯情報処理装置から受信する場合は、ユーザーが可視光を画像出力装置の受光部に当てる動作の示唆を提示する提示手段
として機能させるための画像出力プログラム。
【０１４９】
［Ｂ２３］  コンピュータである携帯情報処理装置を、
前記携帯情報処理装置が有している撮影用光源又はディスプレイを用いた可視光通信によって、印刷指示を画像出力装置に送信する送信手段
として機能させるための情報処理プログラム。
【０１５０】
［Ｂ２４］  コンピュータである画像読取装置を、
読み取った画像を可視光通信によって携帯情報処理装置が有しているカメラに送信する送信手段と、
前記可視光通信によって送信する場合は、ユーザーが可視光を携帯情報処理装置の受光部であるカメラに当てる動作の示唆を提示する提示手段
として機能させるための画像読取プログラム。
【０１５１】
［Ｂ２５］  コンピュータである携帯情報処理装置を、
前記携帯情報処理装置が有しているカメラを用いて、画像を可視光通信によって画像読取装置から受信する受信手段と、
前記可視光通信によって受信する場合は、ユーザーが可視光を携帯情報処理装置の受光部であるカメラに当てる動作の示唆を提示する提示手段
として機能させるための情報処理プログラム。
【０１５２】
そして、前述の発明は、以下の効果を有する。
［Ｂ１］の携帯情報処理装置によれば、可視光通信によって、印刷指示を画像出力装置の受光部に送信することができる。また、可視光通信によって印刷指示を画像出力装置の受光部に送信する際に、ユーザーは実施すべき動作がわかりやすくなる。
【０１５３】
［Ｂ２］の画像出力装置によれば、可視光通信によって、印刷指示を携帯情報処理装置から受光部で受信することができる。また、可視光通信によって印刷指示を画像出力装置の受光部が受信する際に、ユーザーは実施すべき動作がわかりやすくなる。
【０１５４】
［Ｂ３］の画像出力システムによれば、携帯情報処理装置から画像出力装置の受光部に、可視光通信によって、印刷指示を送信することができる。また、可視光通信によって印刷指示を画像出力装置の受光部に送信する際に、ユーザーは実施すべき動作がわかりやすくなる。また、可視光通信によって印刷指示を画像出力装置の受光部が受信する際に、ユーザーは実施すべき動作がわかりやすくなる。
【０１５５】
［Ｂ４］の携帯情報処理装置によれば、可視光通信によって、印刷指示を画像出力装置に送信することができる。
【０１５６】
［Ｂ５］の携帯情報処理装置によれば、送信手段をカメラと同じ向きに設置することができる。
【０１５７】
［Ｂ６］の携帯情報処理装置によれば、可視光通信で送信する場合、カメラで撮影した画像を本携帯情報処理装置のディスプレイに表示させることができる。
【０１５８】
［Ｂ７］の画像出力システムによれば、携帯情報処理装置から画像出力装置に、可視光通信によって、印刷指示を送信することができる。
【０１５９】
［Ｂ８］の携帯情報処理装置によれば、印刷指示の送信先である画像出力装置を選択するユーザーの操作を受け付けることなく、印刷指示を画像出力装置に送信することができる。
【０１６０】
［Ｂ９］の画像出力装置によれば、可視光通信によって印刷指示を送信してきた携帯情報処理装置の通信設定情報を設定しないようにすることができる。
【０１６１】
［Ｂ１０］の画像出力装置によれば、印刷指示を携帯情報処理装置から受信したことを示す情報を、その携帯情報処理装置に送信しないようにすることができる。
【０１６２】
［Ｂ１１］の携帯情報処理装置によれば、画像出力装置から印刷指示を受信した旨を示す情報を受信した場合は、その旨の提示を行うことができる。
【０１６３】
［Ｂ１２］の画像読取装置によれば、読み取った画像を可視光通信によって、携帯情報処理装置に送信することができる。
【０１６４】
［Ｂ１３］の携帯情報処理装置によれば、画像を可視光通信によって、画像読取装置から受信することができる。
【０１６５】
［Ｂ１４］の画像読取システムによれば、画像読取装置から携帯情報処理装置に、可視光通信によって、画像を送信することができる。
【０１６６】
［Ｂ１５］の画像読取装置によれば、画像の送信先である携帯情報処理装置を選択するユーザーの操作を受け付けることなく、画像を携帯情報処理装置に送信することができる。
【０１６７】
［Ｂ１６］の携帯情報処理装置によれば、可視光通信によって画像を送信してきた画像読取装置の通信設定情報を設定しないようにすることができる。
【０１６８】
［Ｂ１７］の携帯情報処理装置によれば、画像を画像読取装置から受信したことを示す情報を、画像読取装置に送信しないようにすることができる。
【０１６９】
［Ｂ１８］の画像読取装置によれば、携帯情報処理装置から画像を受信した旨を示す情報を受信した場合は、その旨の提示を行うことができる。
【０１７０】
［Ｂ１９］の携帯情報処理装置によれば、携帯情報処理装置が有しているカメラを用いて、画像を可視光通信によって画像読取装置から受信することができる。
【０１７１】
［Ｂ２０］の携帯情報処理装置、画像出力装置、画像読取装置、画像出力システム、画像読取システムによれば、可視光通信として収束した可視光を使用することができる。
【０１７２】
［Ｂ２１］の情報処理プログラムによれば、可視光通信によって、印刷指示を画像出力装置の受光部に送信することができる。また、可視光通信によって印刷指示を画像出力装置の受光部に送信する際に、ユーザーは実施すべき動作がわかりやすくなる。
【０１７３】
［Ｂ２２］の画像出力プログラムによれば、可視光通信によって、印刷指示を携帯情報処理装置から受光部で受信することができる。また、可視光通信によって印刷指示を画像出力装置の受光部が受信する際に、ユーザーは実施すべき動作がわかりやすくなる。
【０１７４】
［Ｂ２３］の情報処理プログラムによれば、可視光通信によって、印刷指示を画像出力装置に送信することができる。
【０１７５】
［Ｂ２４］の画像読取プログラムによれば、読み取った画像を可視光通信によって、携帯情報処理装置に送信することができる。
【０１７６】
［Ｂ２５］の情報処理プログラムによれば、画像を可視光通信によって、画像読取装置から受信することができる。
【符号の説明】
【０１７７】
１００…携帯端末
１０５…可視光送信モジュール
１１０…受信モジュール
１１５…通信制御モジュール
１２０…ユーザーインタフェースモジュール
１２５…ファイル記憶モジュール
１５０…印刷装置
１５５…可視光受信モジュール
１６０…送信モジュール
１６５…通信制御モジュール
１７０…ユーザーインタフェースモジュール
１７５…印刷制御モジュール
１８０…ファイル記憶モジュール
１８５…印刷モジュール
２１０…可視光
２２０…携帯端末置場
２２５…可視光受信装置
２３０…可視光受信装置
２５０…可視光送信装置
２５５…可視光送信装置
２６０…カメラ
１０００…携帯端末
１００５…可視光受信モジュール
１０１０…送信モジュール
１０１５…通信制御モジュール
１０２０…ユーザーインタフェースモジュール
１０２５…ファイル記憶モジュール
１０５０…画像読取装置
１０５５…可視光送信モジュール
１０６０…受信モジュール
１０６５…通信制御モジュール
１０７０…ユーザーインタフェースモジュール
１０７５…画像読取制御モジュール
１０８０…ファイル記憶モジュール
１０８５…画像読取モジュール
１１１０…可視光
１１２０…携帯端末置場
１１２５…可視光送信装置
１１３０…可視光送信装置
１１５０…可視光受信装置
１１５５…可視光受信装置
１１６０…カメラ
【要約】
【課題】携帯情報処理装置が有している撮影用光源又はディスプレイを用いた可視光通信によって、印刷指示を画像出力装置に送信するようにした携帯情報処理装置を提供する。
【解決手段】携帯情報処理装置の送信手段は、本携帯情報処理装置が有している撮影用光源又はディスプレイを用いた可視光通信によって、印刷指示を画像出力装置に送信し、提示手段は、前記可視光通信によって前記印刷指示を前記画像出力装置に送信する場合は、ユーザーが可視光を前記画像出力装置の受光部に当てる動作の示唆を提示する。
【選択図】図１【図１】
0006041068.tif 000002
【図２】
0006041068.tif 000003
【図３】
0006041068.tif 000004
【図４】
0006041068.tif 000005
【図５】
0006041068.tif 000006
【図６】
0006041068.tif 000007
【図７】
0006041068.tif 000008
【図８】
0006041068.tif 000009
【図９】
0006041068.tif 000010
【図１０】
0006041068.tif 000011
【図１１】
0006041068.tif 000012
【図１２】
0006041068.tif 000013
【図１３】
0006041068.tif 000014
【図１４】
0006041068.tif 000015
【図１５】
0006041068.tif 000016
【図１６】
0006041068.tif 000017
【図１７】
0006041068.tif 000018
【図１８】
0006041068.tif 000019
【図１９】
0006041068.tif 000020